(57)【要約】      （修正有）【課題】ユーザがサービスデータを広告データの配信に関連付けて容易に取得できると共に、不正に流用されることを防止する。【解決手段】広告識別データと共に広告データを配信し、広告データを受信装置３０に表示し、受信装置３０の第１リーダ／ライタ６０でＩＣカード５０のユーザ識別データを読み出し広告識別データと共に管理装置２０に送信し、管理装置２０でユーザ識別データを広告識別データに関連付けて登録し、広告識別データに関連付けられたサービスデータをユーザ識別データで暗号化して受信装置３０に送信し、受信装置３０でＩＣカード５０に格納し、店舗端末装置７０の第２リーダ／ライタ８０でＩＣカード５０よりユーザ識別データと暗号化サービスデータとを読み出し、店舗端末装置７０よりユーザ識別データを管理装置２０に送信、認証し、店舗端末装置７０で、ユーザ識別データを用いてＩＣカード５０の暗号化サービスデータを復号する。【選択図】図１
2009003703.tif 000002
【特許請求の範囲】
【請求項１】
広告識別データと共に、この広告識別データに関連付けられた広告データを配信する配信装置と、
上記広告識別データに関連付けてサービスデータを管理すると共に、発行するサービスデータの広告識別データにユーザ識別データを関連付けて管理し、サービスデータを発行する際に、このサービスデータを暗号鍵データ又はユーザ識別データで暗号化し暗号化サービスデータを生成する管理装置と、
上記配信装置で配信された広告データを受信し、この受信した広告データを表示部に表示すると共に、上記管理装置で発行された暗号化サービスデータを受信する受信装置と、
ユーザ識別データを格納すると共に、上記管理装置で発行された暗号化サービスデータを格納するメモリ手段と、
上記受信装置に接続され、上記メモリ手段と通信を行い、上記メモリ手段よりユーザ識別データを読み出すと共に、上記暗号化サービスデータを上記メモリ手段に書き込む第１のリーダ／ライタと、
上記メモリ手段と通信を行い、上記メモリ手段より上記ユーザ識別データ及び上記暗号化サービスデータを読み出す第２のリーダ／ライタと、
上記管理装置に対して上記第２のリーダ／ライタで上記メモリ手段から取得したユーザ識別データを送信すると共に、上記第２のリーダ／ライタで上記メモリ手段から取得した暗号化サービスデータを復号する端末装置とを備え、
上記第１のリーダ／ライタが上記メモリ手段からユーザ識別データを取得すると、上記受信装置は、上記広告識別データと共に上記ユーザ識別データを上記管理装置に送信し、
上記管理装置は、上記受信装置から上記広告識別データと共に上記ユーザ識別データを取得すると、この広告識別データに関連付いたサービスデータを上記暗号鍵データ又は上記ユーザ識別データで暗号化して上記受信装置に送信すると共に、この広告識別データにユーザ識別データを関連付けて管理し、
上記メモリ手段は、上記受信装置で受信した暗号化サービスデータを上記第１のリーダ／ライタを介して格納し、
上記端末装置は、上記第２のリーダ／ライタが上記メモリ手段と通信をして、このメモリ手段に格納されたユーザ識別データと暗号化サービスデータとを取得すると、この取得したユーザ識別データを上記管理装置に送信し、
上記管理装置は、上記端末装置よりユーザ識別データを受信し、受信したユーザ識別データを認証し、
上記端末装置は、上記認証時に上記管理装置から送信された暗号鍵データ又は上記メモリ手段から取得したユーザ識別データを用いて上記メモリ手段より取得した暗号化サービスデータを復号することを特徴とするデータ処理システム。
【請求項２】
上記配信装置は、上記広告データ及び上記広告識別データを放送網を介して上記受信装置に配信することを特徴とする請求項１記載のデータ処理システム。
【請求項３】
上記配信装置は、上記広告データ及び上記広告識別データをインターネットを介して上記受信装置に配信することを特徴とする請求項１記載のデータ処理システム。
【請求項４】
管理装置で広告データに付与された広告識別データに関連付けてサービスデータを管理するステップと、
上記広告識別データと共に上記広告データを配信するステップと、
上記配信された広告データを受信し、この受信した広告データを受信装置の表示部に表示するステップと、
上記受信装置と接続された第１のリーダ／ライタでユーザ識別データを格納したメモリ手段と通信を行い、このメモリ手段よりユーザ識別データを読み出し、上記広告識別データ共に上記管理装置に送信するステップと、
上記管理装置で上記受信したユーザ識別データを上記広告識別データに関連付けて登録するステップと、
上記ユーザ識別データが登録された広告識別データに関連付けられたサービスデータを暗号鍵データ又は上記ユーザ識別データで暗号化し暗号化サービスデータを生成し、上記受信装置に送信するステップと、
上記受信装置で受信した暗号化サービスデータを第１のリーダ／ライタを介して上記メモリ手段に格納するステップと、
端末装置に接続された第２のリーダ／ライタで上記メモリ手段より上記ユーザ識別データと上記暗号化サービスデータとを読み出すステップと、
上記端末装置より上記第２のリーダ／ライタで上記メモリ手段より読み出したユーザ識別データを上記管理装置に送信するステップと、
上記管理装置で、上記受信したユーザ識別データが登録済みのユーザ識別データの中にあるかを判定し認証処理を行うステップと、
上記ユーザ識別データの認証が取れたとき、上記端末装置で、上記管理装置から送信された暗号鍵データ又は上記メモリ手段から取得したユーザ識別データを用いて上記メモリ手段より読み出した暗号化サービスデータを復号するステップとを有するデータ処理方法。
【発明の詳細な説明】
【技術分野】
【０００１】
本発明は、ユーザが広告データの配信に関連付けられたサービスデータを取得できるようにすると共に、配布したサービスデータが不正に流用されることを防止するデータ処理システム及びデータ処理方法に関する。
【背景技術】
【０００２】
特許文献１には、ユーザ携帯端末に電子クーポン等の電子バリューを発行する電子バリュー流通システムが記載されている。この種の電子バリュー流通システムでは、ユーザ携帯端末に配布される電子クーポンが流通過程で、不正に複製されたり改ざんされるおそれがあり、このような不正利用を防止する必要がある。
【０００３】
【特許文献１】特開２００５−３０１５８６号公報
【発明の開示】
【発明が解決しようとする課題】
【０００４】
本発明は、このような実情に鑑みて提案されたものであり、ユーザが広告データの配信に関連付けられたサービスデータを容易に取得できるようにすると共に、配布したサービスデータが不正に流用されることを防止するデータ処理システム及びデータ処理方法を提供することを目的とする。
【課題を解決するための手段】
【０００５】
本発明に係るデータ処理システムは、広告識別データと共に、この広告識別データに関連付けられた広告データを配信する配信装置と、上記広告識別データに関連付けてサービスデータを管理すると共に、発行するサービスデータの広告識別データにユーザ識別データを関連付けて管理し、サービスデータを発行する際に、このサービスデータを暗号鍵データ又はユーザ識別データで暗号化し暗号化サービスデータを生成する管理装置と、上記配信装置で配信された広告データを受信し、この受信した広告データを表示部に表示すると共に、上記管理装置で発行された暗号化サービスデータを受信する受信装置と、ユーザ識別データを格納すると共に、上記管理装置で発行された暗号化サービスデータを格納するメモリ手段と、上記受信装置に接続され、上記メモリ手段と通信を行い、上記メモリ手段よりユーザ識別データを読み出すと共に、上記暗号化サービスデータを上記メモリ手段に書き込む第１のリーダ／ライタと、上記メモリ手段と通信を行い、上記メモリ手段より上記ユーザ識別データ及び上記暗号化サービスデータを読み出す第２のリーダ／ライタと、上記管理装置に対して上記第２のリーダ／ライタで上記メモリ手段から取得したユーザ識別データを送信すると共に、上記第２のリーダ／ライタで上記メモリ手段から取得した暗号化サービスデータを復号する端末装置とを備える。そして、上記第１のリーダ／ライタが上記メモリ手段からユーザ識別データを取得すると、上記受信装置は、上記広告識別データと共に上記ユーザ識別データを上記管理装置に送信し、上記管理装置は、上記受信装置から上記広告識別データと共に上記ユーザ識別データを取得すると、この広告識別データに関連付いたサービスデータを上記暗号鍵データ又は上記ユーザ識別データで暗号化して上記受信装置に送信すると共に、この広告識別データにユーザ識別データを関連付けて管理し、上記メモリ手段は、上記受信装置で受信した暗号化サービスデータを上記第１のリーダ／ライタを介して格納し、上記端末装置は、上記第２のリーダ／ライタが上記メモリ手段と通信をして、このメモリ手段に格納されたユーザ識別データと暗号化サービスデータとを取得すると、この取得したユーザ識別データを上記管理装置に送信し、上記管理装置は、上記端末装置よりユーザ識別データを受信し、受信したユーザ識別データを認証し、上記端末装置は、上記認証時に上記管理装置から送信された暗号鍵データ又は上記メモリ手段から取得したユーザ識別データを用いて上記メモリ手段より取得した暗号化サービスデータを復号する。
【０００６】
また、本発明に係るデータ処理方法は、管理装置で広告データに付与された広告識別データに関連付けてサービスデータを管理するステップと、上記広告識別データと共に上記広告データを配信するステップと、上記配信された広告データを受信し、この受信した広告データを受信装置の表示部に表示するステップと、上記受信装置と接続された第１のリーダ／ライタでユーザ識別データを格納したメモリ手段と通信を行い、このメモリ手段よりユーザ識別データを読み出し、上記広告識別データ共に上記管理装置に送信するステップと、上記管理装置で上記受信したユーザ識別データを上記広告識別データに関連付けて登録するステップと、上記ユーザ識別データが登録された広告識別データに関連付けられたサービスデータを暗号鍵データ又は上記ユーザ識別データで暗号化し暗号化サービスデータを生成し、上記受信装置に送信するステップと、上記受信装置で受信した暗号化サービスデータを第１のリーダ／ライタを介して上記メモリ手段に格納するステップと、端末装置に接続された第２のリーダ／ライタで上記メモリ手段より上記ユーザ識別データと上記暗号化サービスデータとを読み出すステップと、上記端末装置より上記第２のリーダ／ライタで上記メモリ手段より読み出したユーザ識別データを上記管理装置に送信するステップと、上記管理装置で、上記受信したユーザ識別データが登録済みのユーザ識別データのあるかを判定し認証処理を行うステップと、上記ユーザ識別データの認証が取れたとき、上記端末装置で、上記管理装置から送信された暗号鍵データ又は上記メモリ手段から取得したユーザ識別データを用いて上記メモリ手段より読み出した暗号化サービスデータを復号するステップとを有する。
【発明の効果】
【０００７】
本発明によれば、受信装置の広告データを受信し表示部に表示したとき、受信装置と接続された第１のリーダ／ライタでメモリ手段よりユーザ識別データを読み出し、広告識別データ共に管理装置に送信し、管理装置で受信したユーザ識別データを広告識別データに関連付けて登録すると共に、ユーザ識別データが登録された広告識別データに関連付けられたサービスデータを暗号化し暗号化サービスデータを受信装置に送信し、第１のリーダ／ライタを介してメモリ手段に格納するようにしたので、ユーザは広告データを見ているタイミングでサービスデータを容易に取得することができると共に、サービスデータが暗号化されて送信されるので、不正に流用されることを防止することができる。
【０００８】
また、本発明によれば、端末装置に接続された第２のリーダ／ライタでメモリ手段よりユーザ識別データと暗号化サービスデータとを読み出し、端末装置より第２のリーダ／ライタでメモリ手段より読み出したユーザ識別データを管理装置に送信し、管理装置で、受信したユーザ識別データが登録済みのユーザ識別データのあるかを判定し認証処理を行った後、メモリ手段より読み出した暗号化サービスデータを復号するようにしたので、サービスデータが不正利用されることを防止することができる。
【発明を実施するための最良の形態】
【０００９】
以下、本発明が適用されたデータ処理システムについて、図面を参照して説明する。
【００１０】
図１に示すように、本発明が適用されたデータ処理システム１は、番組データや広告データを放送波として送信する放送局等の送信装置１０と、放送する広告データとサービスデータとを関連付けて管理する管理装置２０と、放送信号を受信し表示する受信装置３０と、視聴者等のユーザが所持、管理するＩＣカード５０と、受信装置３０に接続されＩＣカード５０と通信を行う第１のリーダ／ライタ６０と、店舗等に設置されるＰＯＳ機能を有する店舗端末装置７０と、店舗端末装置７０に接続されＩＣカード５０と通信を行う第２のリーダ／ライタ８０とを備える。
【００１１】
このデータ処理システム１では、放送局の送信装置１０より所定の広告主の広告データを、この広告データの中に広告識別データを含ませて放送する。この広告識別データは、管理装置２０に送信装置１０よりネットワークを介して又は可搬性記録媒体によって提供され、管理装置２０では、送信装置１０から提供された広告識別データを登録して、登録された広告データの広告識別データに関連付けて広告データに関連したクーポンデータ等のサービスデータを管理する。受信装置３０で番組を視聴している視聴者等のユーザは、番組途中又は番組間において広告データを視聴することになる。ユーザは、メモリカードと言ったＩＣカードを所持、管理しており、受信装置３０は、受信装置３０に接続されている第１のリーダ／ライタ６０でＩＣカード５０に格納されているユーザ識別データを読み出し、読み出したユーザ識別データを、広告識別データと共に管理装置２０に送信し、管理装置２０では、広告識別データに関連付けてユーザ識別データを登録管理する。そして、管理装置２０は、受信した広告識別データに関連付いているサービスデータを暗号化し暗号化サービスデータを受信装置３０に送信する。かくして、ユーザは、暗号化サービスデータを受信装置３０に接続された第１のリーダ／ライタ６０を介してＩＣカード５０に格納し、何時でもサービスデータを利用できる状態となる。
【００１２】
ユーザがサービスデータを利用するときには、店舗に設置された店舗端末装置７０に接続された第２のリーダ／ライタ８０にＩＣカード５０をかざす。そして、店舗端末装置７０は、第２のリーダ／ライタ８０を介してユーザ識別データと暗号化サービスデータを読み出すと、読み出したユーザ識別データを管理装置２０に送信する。管理装置２０でユーザ識別データの認証が取れると、店舗端末装置７０では、暗号化サービスデータの暗号を復号し平文化し、サービスデータを使用できる状態にする。例えば、サービスデータがクーポンデータであるとき、クーポンデータの内容に従った割引処理を行って決済処理を行う。
【００１３】
そして、データ処理システム１では、広告データの配信に関連付けてユーザがサービスデータを容易に取得できるようにすると共に、配布したサービスデータが不正に流用されることを防止することができる。
【００１４】
次に、本発明のデータ処理システム１に用いられる放送局等に設置される送信装置１０について説明する。
【００１５】
送信装置１０は、図２に示すように、番組データを格納する番組ソース１１と、広告データを格納する広告ソース１２と、広告データに対して広告識別データを挿入する広告識別データ挿入部１３と、番組ソース１１からの出力と広告ソース１２からの出力を切り換えるスイッチャ１４と、送信する信号を変調する変調部１５と、変調された放送信号を放送波として放出する送信アンテナ１６とを備える。
【００１６】
番組ソース１１は、放送する番組データを格納した大容量の記録媒体を備えた再生装置であって、所定の番組時間枠に所定の番組データを出力する。また、広告ソース１２は、広告主より提供された広告データを格納した大容量の記録媒体を備えた再生装置であって、所定の広告時間枠に所定の広告データを出力する。なお、番組ソース１１や広告ソース１２には、予めＭＰＥＧ（Motion Picture Experts Group）２等で圧縮されたデータが格納されていても良い。
【００１７】
広告識別データ挿入部１３は、放送する広告データに対して、広告データを一意に識別する広告識別データを符号化して、広告データの例えばヘッダの部分に挿入する。
【００１８】
なお、本発明では、広告識別データが挿入された広告データが広告ソース１２に格納されるようにしても良い。
【００１９】
スイッチャ１４は、変調部１５に対して、選択的に、番組データと広告識別データが挿入された広告データとを出力できるようにする切換手段であって、番組時間枠、広告時間枠に従って、切換を行う。そして、変調部１５では、放送する番組ソース１１や広告ソース１２から提供されたデータに対して、多重化処理や誤り訂正処理、ディジタル変調処理等を行い、送信アンテナ１６より変調信号を放送波として空間に放出する。
【００２０】
なお、広告データには、広告識別データの他に、インターネット等のネットワーク上にある広告データのＵＲＬ（Uniform Resource Locator）等のアドレスデータを含ませるようにしても良い。また、送信装置１０は、ディジタル放送ではなくアナログ放送であっても良い。
【００２１】
ところで、広告データに含まれる広告識別データは、管理装置２０によって管理されている。この管理装置２０は、図３に示すように、通常のサーバ装置やワークステーションと同様な構成を有するものであって、大容量ハードディスク等に構築されたデータベース２１と、データを入力する外部機器とのインタフェースやキーボード等で構成される入力部２２と、サービスデータを暗号化する暗号化処理部２３と、ネットワークを介して受信装置３０や店舗端末装置７０と通信を行うネットワークＩ／Ｆ２４と、全体の動作を制御する制御部２５とを備えている。また、管理装置２０は、配信する広告データを格納する広告格納部２６を有している。
【００２２】
データベース２１は、広告識別データとサービスデータとユーザ識別データとを体系的に管理する。すなわち、送信装置１０で放送する広告データに対しては、広告識別データが付与されており、データベース２１では、この広告識別データが送信装置１０よりネットワークを介して又は可搬性記録媒体を介して入力され、登録されることになる。そして、データベース２１では、この登録された広告識別データに対して、この広告識別データの示す広告データで提供される割引等のサービスデータが関連付けて格納されている。そして、データベース２１は、受信装置３０から広告識別データと共にユーザ識別データが送信されたとき、送信された広告識別データに関連付けてユーザ識別データを登録し管理する。
【００２３】
なお、ここでサービスデータとは、上述のように、商品等の値段を割り引くクーポンデータに限定されるものではなく、例えばクーポンデータの他、所定地域、例えば東京の店舗の所在を示す買い物マップデータや東京等の地域の歩き方を示す歩き方マップ等も含まれる。
【００２４】
また、図３に示すデータベースでは、例えば、広告識別データ「ＡＢＣ」に対してサービスデータ「商品Ａ１０％引き」のクーポンデータが関連付けられ、更に、ユーザ識別データ「１２３」が登録されている。
【００２５】
ここで、データベース２１には、入力部２２からデータベース２１に登録されるデータすなわち、広告識別データとサービスデータが入力されることになる。入力部２２は、光ディスクドライブ、磁気テープのドライブ、メモリカードのドライブ等と接続されるインタフェースであり、データベース２１には、これらの記録媒体から広告識別データとサービスデータが入力され登録されることになる。なお、送信装置１０より送信される広告データに付与された広告識別データとデータベース２１に登録される広告識別データとは、紐付けられており、同一の広告データを示すようになっている。
【００２６】
なお、この入力部２２は、キーボード等で構成し、キーボード等からデータベース２１に広告識別データとサービスデータが入力されるものであっても良い。
【００２７】
暗号化処理部２３は、受信装置３０にユーザから要求のあったサービスデータを送信する際に、不正利用を防止するため、送信するサービスデータを暗号化する。この暗号化処理部２３は、送信先となるユーザのユーザ識別データで送信するサービスデータを暗号化する。また、暗号化処理部２３は、内部メモリに格納された暗号鍵データを用いて送信するサービスデータを暗号化する。
【００２８】
広告格納部２６は、例えば大容量のハードディスクで構築されており、広告識別データが付与された又は付与されていない広告データが多数格納されている。この広告格納部２６に格納された広告データは、受信装置３０からの要求に応じて受信装置３０に配信する。なお、この広告格納部２６は、別の配信サーバ装置としても良い。
【００２９】
ネットワークＩ／Ｆ２４は、インターネット等のネットワークを介して受信装置３０や店舗端末装置７０と接続するネットワークカード等で構成され、ＴＣＰ／ＩＰ（Transmission Control Protocol/Internet Protocol）、ＲＴＰ（Real-time Transport Protocol）等のプロトコルに従って通信を行う。そして、ネットワークＩ／Ｆ２４は、広告格納部２６に格納されている広告データを受信装置３０に例えばストリーミングで配信する。また、ネットワークＩ／Ｆ２４は、ユーザからサービスデータの取得の要求があったとき、受信装置３０から送信されたユーザ識別データと広告識別データとを受信し、この広告識別データに関連付いた暗号化された暗号化サービスデータを受信装置３０に送信する。また、ユーザがサービスデータを使用しようとするとき、ネットワークＩ／Ｆ２４は、店舗端末装置７０から送信されたユーザ識別データを受信し、また、必要に応じて、暗号鍵データを店舗端末装置７０に送信する。
【００３０】
制御部２５は、ＣＰＵ（Central Processing Unit）、ＲＯＭ（Read Only Memory ）、ＲＡＭ（Random Access Memory）等で構成され、データベース２１、入力部２２、暗号化処理部２３、ネットワークＩ／Ｆ２４等と例えばＰＣＩ（Peripheral Component Interconnect）バスを介して相互に接続され、ＲＡＭ等にロードされたプログラムや処理データに従って全体の動作を制御する。例えば、制御部２５は、送信装置１０で送信される広告データに付与された広告識別データとこの広告データの広告識別データに関連付けられるサービスデータの入力があったとき、広告識別データにサービスデータを関連付けてデータベース２１に登録する。また、制御部２５は、受信装置３０からユーザ識別データと広告識別データとが送信されたとき、受信した広告識別データに関連付けてユーザ識別データをデータベース２１に登録する。更に、制御部２５は、サービスデータがユーザによって使用されるとき、店舗端末装置７０から送信されたユーザ識別データがデータベース２１に登録されているか検索し、データベース２１に店舗端末装置７０から送信されたユーザ識別データが登録済みであったとき、そのユーザ識別データを認証し、例えば、認証データや暗号化サービスデータを復号するための暗号鍵データを店舗端末装置７０に送信する。
【００３１】
また、上述した送信装置１０から送信された放送信号を受信し表示する受信装置３０は、家庭用の表示装置又はロビー、駅構内といった公共の場所に設置される大型の表示装置等であって、図４に示すように、放送波を受信する受信アンテナ３１と、所定のチャンネルを選択するチューナ３２と、受信信号を受信する復調部３３と、インターネット等のネットワークを介して管理装置２０と通信を行うネットワークＩ／Ｆ３４と、一部の広告データ等を格納するメモリ３５と、画像データや映像データを表示するＣＲＴ（Cathode Ray Tube）、ＬＣＤ（Liquid Crystal Display）等の表示部３６と、可聴音として音声データを放音するスピーカ３７と、放送信号の広告データより広告識別データを抽出する広告識別データ抽出部３８と、操作信号を入力する押しボタン、スライドスイッチ、キーボード等で構成された操作部３９と、全体の動作を制御する制御部４０とを備えている。また、受信したチャンネルの番組データや広告データとネットワークＩ／Ｆ３４から入力された画像データや動画データを表示部３６の表示画面上に重ね合わせて又は並べて表示できるようにする合成部４１を備えている。
【００３２】
チューナ３２は、受信アンテナ３１で受信した電波を電気信号に変換すると、操作部３９で入力されたチャンネルを選択する。そして、復調部３３では、復調処理を行って誤り訂正処理や多重分離処理を行い、この後、圧縮されている信号を伸長する復号処理等を行い、表示部３６に画像データや映像データが表示されるようにし、また、スピーカ３７より音声データが可聴音で放音されるようにする。
【００３３】
ネットワークＩ／Ｆ３４は、インターネット等のネットワークを介して管理装置２０やその他のサーバ装置と接続するネットワークカード等で構成されている。具体的に、ネットワークＩ／Ｆ３４では、管理装置２０からストリーミング配信される広告データ等を受信し、また、広告識別データやユーザ識別データを管理装置２０に送信する。また、ネットワークＩ／Ｆ３４は、要求に応じて管理装置２０から送信された暗号化サービスデータを受信する。ネットワークＩ／Ｆ３４は、ストリーミングで広告データや音声データを受信したとき、受信したデータを合成部４１を介して表示部３６に出力し、また、音声データをスピーカ３７に出力する。
【００３４】
合成部４１は、例えばオーバーレイ回路であって、受信したチャンネルの番組データや広告データとネットワークＩ／Ｆ３４から入力された画像データや動画データを表示部３６の表示画面上に重ね合わせて又は並べて表示できるようにする。
【００３５】
メモリ３５は、ハードディスク、フラッシュメモリ等であって、ネットワークＩ／Ｆ３４で受信した広告データ等をユーザの操作に応じて保存し、ユーザが何時でも保存した広告データを見ることができるようにする。また、このメモリ３５は、受信アンテナ３１で受信した表示部３６で再生する広告データを複数格納しておき、順次繰り返して、表示部３６で再生できるようにしても良い。このメモリ３５に格納される広告データは、広告識別データが付与されているものであっても良く、また、付与されていないものであっても良い。
【００３６】
広告識別データ抽出部３８は、受信アンテナ３１で受信した放送信号中の広告データより広告識別データを、例えば広告識別データが格納されているヘッダ部より抽出する。また、広告識別データ抽出部３８は、当該広告識別データに関連するＵＲＬ等のアドレスデータが広告データに含まれているとき、このアドレスデータを抽出する。
【００３７】
操作部３９は、押しボタン、スライドスイッチ、ダイヤル等で構成されている。この操作部３９では、例えば、放送信号のチャンネルを選択したり、サービスデータを管理装置２０より取得するための操作をしたり、更に、ホームページ等のウェブページを閲覧するための操作を行うことができる。
【００３８】
制御部４０は、ＣＰＵ、ＲＯＭ、ＲＡＭ等で構成され、操作部３９から入力される操作信号に応じて受信装置３０全体の動作を制御する。具体的に、制御部４０は、テレビジョン受像機としての機能を実現するため、操作部３９で選択された所定のチャンネルを復調部３３に出力するようにチューナ３２を制御する。また、制御部４０は、選択されたチャンネルの広告データより広告識別データ抽出部３８で抽出するようにし、抽出した広告識別データを、ネットワークＩ／Ｆ３４を介して、ＩＣカード５０より読み出したユーザ識別データと共に管理装置２０に送信し、管理装置２０に対して広告識別データに関連付いたサービスデータの要求を行う。これに応じて、制御部４０は、ネットワークＩ／Ｆ３４で暗号化サービスデータを受信し、この受信したサービスデータをＩＣカード５０に保存する。
【００３９】
なお、受信装置３０では、表示部３６が１つでも良いが、複数、例えば４つを縦横に並べて設け、同時に、複数のチャンネルを表示できるようにしても良い。
【００４０】
以上のように構成された受信装置３０には、ＩＣカード５０と通信を行う第１のリーダ／ライタ６０が接続されている。なお、ＩＣカード５０と第１のリーダ／ライタ６０との間では、ＲＦＩＤ（Radio Frequency Identification System）、ＮＦＣ（Near Field Communication）等の短距離又は近距離の無線通信が行われる。
【００４１】
図５に示すように、ＩＣカード５０は、例えば名刺サイズのプラスチックカード内に、第１のリーダ／ライタ６０や第２のリーダ／ライタ８０と通信を行う例えばループ状のアンテナ５１と、第１のリーダ／ライタ６０や第２のリーダ／ライタ８０と通信制御を行うコントローラ５２と、第１のリーダ／ライタ６０や第２のリーダ／ライタ８０と送受信を行う際の変復調を行うＲＦ部５３と、メモリ識別データともなるユーザ識別データ等が格納されたＲＯＭ５４と、送受信を行うデータが一時的にロードされるＲＡＭ５５と、サービスデータ等を格納するメモリ５６を備えている。
【００４２】
このＩＣカード５０では、動作電源電圧Ｖｄをレギュレータ５７で得るようにし、電池を内蔵しないようになっている。すなわち、ここで用いられるレギュレータ５７は、第１のリーダ／ライタ６０や第２リーダ／ライタ８０との通信時にアンテナ５１で得られる磁界エネルギをコイルで誘導し、これを直流電圧Ｖｄに変換して各部の動作電源電圧とする。
【００４３】
また、メモリ５６は、ＥＥＰ−ＲＯＭ（Electrically Erasable Programmable Read-Only Memory）といった不揮発性の半導体メモリであって、例えば、受信装置３０で取得した暗号化サービスデータを格納する。その他、メモリ５６は、電子マネー等の電子バリューデータを格納するようにしても良い。また、メモリ識別データともなるユーザ識別データ等は、ＲＯＭ５４ではなく、このメモリ５６に格納されていても良い。
【００４４】
このようなＩＣカード５０において、コントローラ５２は、アンテナ５１で受信した変調信号をＲＦ部５３で復調し、メモリ５６に格納する。例えば、受信装置３０が管理装置２０から取得した暗号化サービスデータは、このようにしてメモリ５６に格納されることになる。また、コントローラ５２は、メモリ送信するデータをメモリ５６から読み出すと、ＲＦ部５３で送信データを変調し、アンテナ５１から第１のリーダ／ライタ６０や第２のリーダ／ライタ８０に送信する。例えば、第１のリーダ／ライタ６０には、サービスデータを取得するとき、ユーザ識別データが送信される。また、第２のリーダ／ライタ８０には、ユーザがサービスデータを使用するとき、ＩＣカード５０に格納されている暗号化サービスデータとユーザ識別データとが第２のリーダ／ライタ８０に送信される。
【００４５】
なお、本発明では、ＩＣカード５０は、携帯電話やＰＤＡ（Personal Digital(Data) Assistant ）等の小型又は携帯型の情報処理装置に内蔵されているものであっても良い。
【００４６】
次に、以上のようなＩＣカード５０と通信を行う第１のリーダ／ライタ６０について図６を参照して説明する。
【００４７】
図６に示すように、第１のリーダ／ライタ６０は、ＩＣチップ６１に、ＣＰＵ６２、ＳＰＵ（Signal Processing Unit）６３、ＲＡＭ６５ａ及びＲＯＭ６５ｂを有するメモリ６４が設けられていると共に、復調部６６、アンテナ６７、変調部６８、発振回路６９を有する。そして、ＣＰＵ６２、ＳＰＵ６３、メモリ６４は、バスを介して相互に接続されている。
【００４８】
ＣＰＵ６２は、ＲＯＭ６５ｂに格納されている制御プログラムをＲＡＭ６５ａにロードし、ＩＣカード５０から送信されてきたユーザ識別データ等のデータや受信装置３０から供給された制御信号に基づいて、各種の処理を実行する。例えばＣＰＵ６２は、ＩＣカード５０にデータを送信するコマンドを生成し、この生成したコマンドを、バスを介してＳＰＵ６３に出力したり、ＩＣカード５０から送信されてきたデータの認証処理等を行う。
【００４９】
ＳＰＵ６３は、ＩＣカード５０からの応答データが復調部６６から供給されてきたとき、そのデータに対して、例えば、ＢＰＳＫ（Binary Phase ShiftKeying）復調（マンチェスターコードのデコード）等を施し、取得したデータを、受信装置３０に供給する。また、ＳＰＵ６３は、ＩＣカード５０に送信するコマンドが供給されたとき、供給されたコマンドにＢＰＳＫ変調（マンチェスターコードへのコーディング）を施し、取得したデータを変調部６８に出力する。
【００５０】
変調部６８は、発振回路６９から供給される所定の周波数（例えば、１３．５６MHz）の搬送波を、ＳＰＵ６３より供給されるデータに基づいて、ＡＳＫ（Amplitude Shift Keying）変調し、生成された変調波を、電磁波としてアンテナ６７から出力する。一方、復調部６６は、アンテナ６７を介して取得した変調波（ＡＳＫ変調波）を復調し、復調されたデータをＳＰＵ６３に出力する。
【００５１】
アンテナ６７は、例えばループ状であり、所定の電磁波を輻射し、それに対する負荷の変化に基づいて、非接触型のＩＣカード５０が近接されたか否かを検出する。そして、ＩＣカード５０が近接されたとき、アンテナ６７は、ＩＣカード５０との間で各種のデータを送受信する。
【００５２】
以上のような第１のリーダ／ライタ６０は、ユーザがＩＣカード５０をアンテナ６７に近接させてサービスデータを取得しようとするとき、ＩＣカード５０よりユーザ識別データを読み出し、また、受信装置３０が暗号化サービスデータを受信したとき、ＩＣカード５０に暗号化サービスデータを格納する処理を行う。
【００５３】
ここで、本発明を適用したデータ処理システム１は、受信装置３０の表示部３６に表示された広告データの広告識別データとＩＣカード５０に格納されているユーザ識別データとを受信装置３０から管理装置２０に送信し、管理装置２０から送信した広告識別データに関連付いた暗号化サービスデータを受信装置３０で受信し、ＩＣカード５０に格納するものである。このため、第１のリーダ／ライタ６０は、受信装置３０に近接した位置に設けられる。
【００５４】
例えば、図７に示すように、第１のリーダ／ライタ６０では、受信装置３０の表示部３６の周囲のフレーム３０ａに固定されたり、図８に示すように、ＵＳＢ（Universal Serial Bus）、ブルートゥース、ＩＥＥＥ（the Institute of Electrical and Electronics Engineers）１３９４、ＩＥＥＥ８０２等で有線又は無線のインタフェース３０ｂで接続される。
【００５５】
また、図９に示すように、第１のリーダ／ライタ６０は、受信装置３０の表示部３６に設けるようにしても良い。この場合、表示部３６は、例えばＬＣＤであって、図１０に示すように、表示面とは反対側に、第１のリーダ／ライタ６０がループ状のアンテナ６７がＬＣＤの裏面に近接するように配設されている。この場合、表示部３６を構成する表示面の第１のリーダ／ライタ６０上の領域がＩＣカード５０がかざされる通信領域３６ａとなる。この図９の例によれば、受信装置３０の外形形状を簡素化することができると共に操作性の向上を図ることかができる。この場合、図１１に示すように、ユーザは、ＩＣカードを表示部３６内の通信領域３６ａにかざすことによってデータのやり取りを行うことができる。
【００５６】
また、図１２は、図９及び図１０に示した第１のリーダ／ライタ６０を表示面内に設けた表示部３６を４つ設けた受信装置３０を示す。図１２に示す受信装置３０では、表示部３６が４つ設けられていることから、一度に、同じ又は異なる４つの広告データを再生することができる。図１３には、４つの表示部３６に表示される広告データの一例を示す。図１３中左上の表示部３６には、東京の買い物マップの広告データが表示され、右上の表示部３６には、東京の歩き方の広告データが表示され、左下の表示部３６には、レストランの広告データが表示され、右下の表示部３６には、代官山のホームページを案内する広告データが表示されている。そして、例えば、図１３中左上の表示部３６の第１のリーダ／ライタ６０からは、サービスデータとして、「商品Ａ１０％引き」のクーポンデータを取得でき、右上の表示部３６の第１のリーダ／ライタ６０からは、サービスデータとして、東京のマップやマップに表示された店舗のクーポンデータを取得でき、左下の表示部３６の第１のリーダ／ライタ６０からは、レストランのクーポンデータを取得することができ、右下の表示部３６の第１のリーダ／ライタ６０からは、代官山のマップやマップに表示された店舗のクーポンデータを取得できるようになっている。
【００５７】
また、ＩＣカード５０にサービスデータを取得したユーザがこのサービスデータを使用する店舗に設置された店舗端末装置７０は、図１４に示すように、商品を販売する店舗に設置されるＰＯＳ（Point Of Sale terminal）端末の機能を有する装置であって、管理装置２０と通信を行うネットワークＩ／Ｆ７１と、ＩＣカード５０から読み出した暗号化サービスデータを復号する暗号復号部７２と、ＰＯＳ端末としての機能を実現するＰＯＳ機能部７３と、動作状況等を表示する表示部７４と、全体の動作を制御する制御部７５とを備える。
【００５８】
ネットワークＩ／Ｆ７１は、管理装置２０とネットワークを介して通信を行うものであって、第２のリーダ／ライタ８０でかざされたＩＣカード５０から暗号化サービスデータとユーザ識別データを読み出したとき、認証のため、ユーザ識別データを管理装置２０に送信し、この認証要求に対する応答として、認証データを受信する。また、管理装置２０が暗号鍵データでサービスデータを暗号化しているとき、ネットワークＩ／Ｆ７１は、管理装置２０から送信された認証データ、暗号鍵データ等を受信する。
【００５９】
暗号復号部７２は、管理装置２０でＩＣカード５０から読み出したユーザ識別データの認証が取れ認証データを受信したとき、ＩＣカード５０から読み出した暗号化サービスデータの暗号を復号する。具体的に、ＩＣカード５０より読み出した暗号化サービスデータが管理装置２０でユーザ識別データを暗号鍵として暗号化されているとき、暗号復号部７２は、ＩＣカード５０から暗号化サービスデータと共に読み出したユーザ識別データで暗号化サービスデータを復号する。また、管理装置２０にある暗号鍵データでサービスデータが暗号化されているとき、暗号復号部７２は、管理装置２０からユーザ識別データの認証データと共に受信した暗号鍵データで暗号化サービスデータを復号する。
【００６０】
ＰＯＳ機能部７３は、例えば商品に付されたバーコード等を光学的に読み取るリーダ等を備えており、商品のバーコード等の一次元又は二次元のシンボルを読み取る。表示部７４は、動作状況を表示するものであり、例えば、暗号復号部７２で復号されたサービスデータの内容を表示し、ユーザや定員にサービスデータの内容の確認を行うことができるようにする。なお、表示部７４には、サービスデータの内容を示すバーコード等のシンボルを表示し、ＰＯＳ機能部７３のリーダ等でシンボルを読み取ることができるようにしても良い。
【００６１】
制御部７５は、ＣＰＵ、ＲＯＭ、ＲＡＭ等で構成され、図示しない操作部から入力される操作信号に応じて店舗端末装置７０の全体の動作を制御する。具体的に、制御部７５は、第２のリーダ／ライタ８０でＩＣカード５０よりユーザ識別データと暗号化サービスデータを読み出したとき、読み出したユーザ識別データを、ユーザ識別データの認証のためネットワークＩ／Ｆ７１より管理装置２０に送信する。また、制御部７５は、ネットワークＩ／Ｆ７１で管理装置２０よりユーザ識別データの認証データを受信したとき、暗号復号部７２でユーザ識別データ又は管理装置２０から取得した暗号鍵データで、ＩＣカード５０より読み出した暗号化サービスデータの暗号を復号し、例えば表示部７４等に表示し、決済時等に使用できるようにする。
【００６２】
なお、サービスデータがクーポンデータのように商品の割引券のとき、店舗端末装置７０は、その商品を取り扱う店舗のＰＯＳ端末の機能を有する装置となるが、例えば、サービスデータが東京や代官山のマップデータ等のときには、店舗端末装置７０に代わる端末装置は、ＰＯＳ機能部を有している必要はなく、設置される場所も、駅構内等の公共場所であれば良い。
【００６３】
また、以上のような店舗端末装置７０に接続される第２のリーダ／ライタ８０は、図６を用いて説明した第１のリーダ／ライタ６０と同様なためその構成の詳細は省略する。この第２のリーダ／ライタ８０は、ユーザがＩＣカード５０をかざしたとき、ＩＣカード５０より暗号化サービスデータとユーザ識別データを読み出し、読み出した暗号化サービスデータとユーザ識別データを店舗端末装置７０に供給する。
【００６４】
次に、以上のように構成されたデータ処理システム１において、ユーザがＩＣカード５０に暗号化サービスデータを取得するまでの一連の手順について図１５を参照して説明する。
【００６５】
先ず、ステップＳ１において、管理装置２０では、データベース２１に入力された広告識別データとこの広告識別データの示す広告データで提供される割引等のサービスデータとを関連付けてデータベース２１に登録する。ここで、データベース２１に登録される広告識別データは、送信装置１０から送信される広告データに付与される広告識別データと同じであり、関連付けられている。ステップＳ２において、送信装置１０は、番組データと広告識別データを含んだ広告データとを放送波として送信アンテナ１６より放出する。受信装置３０では、操作部３９で選択されたチャンネルの番組データと広告データとを受信し、受信した番組データや広告データを表示部３６に表示する。
【００６６】
例えば、表示部３６で広告データが表示されているとき、ユーザが自ら所持管理するＩＣカード５０を第１のリーダ／ライタ６０にかざすと、ステップＳ３において、第１のリーダ／ライタ６０は、かざされたＩＣカード５０より、このＩＣカード５０に格納されたユーザ識別データを読み出し、ステップＳ４において、この読み出したユーザ識別データを受信装置３０に供給する。
【００６７】
ステップＳ５において、受信装置３０では、第１のリーダ／ライタ６０がユーザ識別データを読み出したとき表示部３６に表示されている広告データに含まれている広告識別データを広告識別データ抽出部３８で読み出し、この広告識別データと第１のリーダ／ライタ６０でＩＣカード５０より読み出されたユーザ識別データとをネットワークＩ／Ｆ３４より管理装置２０に送信する。
【００６８】
管理装置２０は、受信装置３０より送信された広告識別データとユーザ識別データとをネットワークＩ／Ｆ２４で受信すると、ステップＳ６において、受信した広告識別データと同じデータベース２１に登録済みの広告識別データに、受信したユーザ識別データを登録する。ステップＳ７において、管理装置２０は、受信した広告識別データに関連付けられているサービスデータを暗号化処理部２３で暗号化し、ステップＳ８において、暗号化サービスデータを受信装置３０に送信する。
【００６９】
ここで、サービスデータの暗号化は、受信装置３０から送信されたユーザ識別データを暗号鍵にして行っても良く、また、管理装置２０のみが有する暗号鍵データで行っても良い。
【００７０】
受信装置３０は、管理装置２０から送信された暗号化サービスデータを受信すると、ステップＳ９において、受信した暗号化サービスデータを第１のリーダ／ライタ６０に供給する。そして、第１のリーダ／ライタ６０は、ステップＳ１０において、かざされているＩＣカード５０に暗号化サービスデータを送信し、ＩＣカード５０は、メモリ５６に、暗号化サービスデータを格納する。
【００７１】
かくして、ユーザは、受信装置３０で視聴している広告データを視聴している時点で、第１のリーダ／ライタ６０にＩＣカード５０をかざすことによって、広告データに興味を持った時点で手軽に、この広告データに関連付いているサービスデータを暗号化された状態で取得することができる。また、サービスデータを管理装置２０からネットワークを介して受信装置３０に送信するに当たっては、サービスデータが暗号化されていることから、不正利用を防止することができる。また、管理装置２０でサービスデータを暗号化するに当たって、暗号鍵にユーザ識別データを用いたときには、店舗端末装置７０でサービスデータを使用する際、ＩＣカード５０に格納されているユーザ識別データで暗号を復号することができ、店舗端末装置７０と管理装置２０との間のデータ通信量を少なくすることができる。
【００７２】
次に、図１６を参照してユーザがＩＣカード５０に格納した暗号化サービスデータを使用するときの一連の手順について図１６を参照して説明する。
【００７３】
ユーザがサービスデータを取得した広告データの店舗を訪ね、自らが所持管理するＩＣカード５０を店舗端末装置７０の第２のリーダ／ライタ８０にかざすと、第２のリーダ／ライタ８０は、ステップＳ１１において、かざされたＩＣカード５０より暗号化サービスデータとユーザ識別データとを読み出し、第２のリーダ／ライタ８０は、ステップＳ１２において、読み出した暗号化サービスデータとユーザ識別データとを店舗端末装置７０に供給する。
【００７４】
店舗端末装置７０は、ステップＳ１３において、ユーザ識別データの認証のため、第２のリーダ／ライタ８０より取得したユーザ識別データをネットワークＩ／Ｆ７１より管理装置２０に送信する。管理装置２０では、ステップＳ１４において、データベース２１にアクセスし、受信したユーザ識別データがデータベース２１に登録してあるかどうかを判断する。そして、管理装置２０は、データベース２１に受信したユーザ識別データがあるとき、ステップＳ１５において、認証データをネットワークＩ／Ｆ２４より店舗端末装置７０に送信する。また、管理装置２０は、認証の取れたユーザ識別データと関連付いているサービスデータが管理装置が所有する暗号鍵データで暗号化されているときには、この暗号鍵データを認証データと共に店舗端末装置７０に送信する。
【００７５】
店舗端末装置７０は、ネットワークＩ／Ｆ７１で、管理装置２０から送信された認証データを受信すると、ステップＳ１６において、第２のリーダ／ライタ８０でＩＣカード５０より読み出した暗号化サービスデータを暗号復号部７２で復号する。具体的には、暗号復号部７２は、暗号化サービスデータがユーザ識別データで暗号化されているとき、ＩＣカード５０から暗号化サービスデータと共に読み出したユーザ識別データで、暗号化サービスデータの暗号を復号する。また、暗号復号部７２は、暗号化サービスデータが管理装置２０の暗号鍵データで暗号化されているとき、管理装置２０から送信された暗号鍵データを用いて、暗号化サービスデータの暗号を復号する。
【００７６】
この後、暗号が復号されたサービスデータは、店舗端末装置７０の表示部７４に表示され、決済時等に利用されることになる。サービスデータが使用されると、例えば、店舗端末装置７０は、サービスデータを使用されたことを示す使用済みデータを、管理装置２０に送信し、管理装置２０では、データベース２１に登録されたユーザ識別データを無効化し、一度使用されたサービスデータが重複利用されないようにする。
【００７７】
なお、ステップＳ１４において、管理装置２０が店舗端末装置７０から送信されたユーザ識別データの認証に失敗したときには、管理装置２０は店舗端末装置７０に対して非認証データを送信し、店舗端末装置７０が非認証データを受信すると、暗号化サービスデータの暗号を復号しないようにし、例えば、ＩＣカード５０から読み出した暗号化サービスデータを使用できない旨をユーザに対して告知する。
【００７８】
かくして、ユーザは、自らが所持管理するＩＣカード５０を使ってサービスデータを使用することができる。また、店舗端末装置７０では、第２のリーダ／ライタ８０でＩＣカードから暗号化サービスデータと共にユーザ識別データを読み出し、この読み出したユーザ識別データを管理装置２０に送信し、認証が取れたもののみ暗号化サービスデータを復号して使用できるようにしたので、不正なサービスデータが利用されることを防止することができる。また、管理装置２０において、サービスデータをユーザ識別データで暗号化しているときには、店舗端末装置６０で暗号化サービスデータを復号する際に、ＩＣカード５０から読み出したユーザ識別データで暗号を復号することができ、管理装置２０と店舗端末装置６０との間で暗号鍵データのやり取りを行うことがなくなり、店舗端末装置７０と管理装置２０との間のデータ通信量を少なくすることができる。
【００７９】
なお、以上の例では、広告識別データを含む広告データを、放送波で配信する場合を説明したが、本発明では、上述の送信装置１０に代わって又は送信装置１０と共に、配信サーバよりインターネット等のネットワークを介して広告識別データを有する広告データをＩＰマルチキャスト放送で配信するようにしても良い。
【００８０】
また、本発明では、受信装置３０の表示部３６には、送信装置１０から送信された広告データと例えば管理装置２０又は配信サーバの広告格納部２６に格納された広告データを並べて表示できるようにし、管理装置２０又は配信サーバの広告格納部２６に格納された広告データに広告識別データを付与するようにし、ユーザは、管理装置２０又は配信サーバの広告格納部２６に格納された広告データを視聴する際に、上述したサービスデータを第１のリーダ／ライタ６０を介して取得するようにしても良い。
【図面の簡単な説明】
【００８１】
【図１】本発明が適用されたデータ処理システムの全体構成を示す図である。
【図２】送信装置の構成を示すブロック図である。
【図３】管理装置の構成を示すブロック図である。
【図４】受信装置の構成を示すブロック図である。
【図５】ＩＣカードの構成を示すブロック図である。
【図６】第１のリーダ／ライタの構成を示すブロック図である。
【図７】第１のリーダ／ライタをフレームに設けた受信装置の正面図である。
【図８】第１のリーダ／ライタと有線又は無線で接続した受信装置の正面図である。
【図９】表示部内に第１のリーダ／ライタを設けた受信装置の正面図である。
【図１０】表示部内に第１のリーダ／ライタを設けた受信装置の断面図である。
【図１１】ユーザがＩＣカードと図９及び図１０に示した表示部内の第１のリーダ／ライタとの間でデータのやり取りを行う状態を示す図である。
【図１２】表示部を４つ備えた受信装置の斜視図である。
【図１３】図１２の受信装置の４つの表示部の表示例を示す図である。
【図１４】店舗端末装置の構成を示すブロック図である。
【図１５】暗号化サービスデータを取得するまでの一連の動作を示すフローチャートである。
【図１６】サービスデータを使用するときの一連の動作を示すフローチャートである。
【符号の説明】
【００８２】
１ データ処理システム、１０ 送信装置、１１ 番組ソース、１２ 広告ソース、１３ 広告識別データ挿入部、１４ スイッチャ、１５ 変調部、１６ 送信アンテナ、２０ 管理装置、２１ データベース、２２ 入力部、２３ 暗号化処理部、２４ ネットワークＩ／Ｆ、２５ 制御部、２６ 広告格納部、３０ 受信装置、３０ａ フレーム、３０ｂ インタフェース、３１ 受信アンテナ、３２ チューナ、３３ 復調部、３４ ネットワークＩ／Ｆ、３５ メモリ、３６ 表示部、３６ａ 通信領域、３７ スピーカ、３８ 広告識別データ抽出部、３９ 操作部、４０ 制御部、４１ 合成部、５０ ＩＣカード、５１ アンテナ、５２ コントローラ、５３ ＲＦ部、５４ ＲＯＭ、５５ ＲＡＭ、５６ メモリ、５７ レギュレータ、６０ 第１のリーダ／ライタ、６１ ＩＣチップ、６２ ＣＰＵ、６３ ＳＰＵ、６４ メモリ、６５ａ ＲＡＭ、６５ｂ ＲＯＭ、６６ 復調部、６７ アンテナ、６８ 変調部、６９ 発振回路、７０ 店舗端末装置、７１ ネットワークＩ／Ｆ、７２ 暗号復号部、７３ ＰＯＳ機能部、７４ 表示部、７５ 制御部、８０ 第２のリーダ／ライタ
【図１】
2009003703.tif 000003
【図２】
2009003703.tif 000004
【図３】
2009003703.tif 000005
【図４】
2009003703.tif 000006
【図５】
2009003703.tif 000007
【図６】
2009003703.tif 000008
【図７】
2009003703.tif 000009
【図８】
2009003703.tif 000010
【図９】
2009003703.tif 000011
【図１０】
2009003703.tif 000012
【図１１】
2009003703.tif 000013
【図１２】
2009003703.tif 000014
【図１３】
2009003703.tif 000015
【図１４】
2009003703.tif 000016
【図１５】
2009003703.tif 000017
【図１６】
2009003703.tif 000018